【事件の表示】
　特願２０１４−　４９９１３「溶接機用電源装置」拒絶査定不服審判事件〔平成２７年１０月　５日出願公開、特開２０１５−１７４０９２、請求項の数（３）〕について、次のとおり審決する。
【結　論】
　原査定を取り消す。
　本願の発明は、特許すべきものとする。
【理　由】
第１　手続の経緯
　本願は、平成２６年３月１３日を出願日とする出願であって、その手続の経緯は以下のとおりである。
　平成２９年１１月２９日付け：拒絶理由通知書
　平成３０年　２月　１日　　：意見書、手続補正書の提出
　平成３０年　７月１０日付け：拒絶査定
　平成３０年１０月１０日　　：審判請求書と同時に手続補正書の提出
　
第２　原査定の概要
　原査定（平成３０年７月１０日付け拒絶査定）の概要は次のとおりである。
　
　請求項１−６に係る発明は、以下の引用文献１−３に基づいて、その発明の属する技術分野における通常の技術を有する者（以下、「当業者」という。）が容易に発明できたものであるから、特許法第２９条第２項の規定により特許を受けることができない。
　
引用文献等一覧
　１.特開昭５７−１４７７０９号公報
　２.特開２００４−４２１１２号公報
　３.特開２０１０−２０１４９９号公報
　
第３　本願発明
　本願請求項１−３に係る発明（以下、それぞれ「本願発明１」−「本願発明３」という。）は、平成３０年１０月１０日提出の手続補正書で補正された特許請求の範囲の請求項１−３に記載された事項により特定される発明であり、そのうち本願発明１は以下のとおりの発明である。
　
「【請求項１】
　設定された溶接条件に従って溶接出力を出力する溶接機用電源装置であって、
　操作によって前記溶接条件を前記溶接機用電源装置に設定する操作手段と、
　前記溶接機用電源装置からの出力電流を検出する電流検出手段と、
　前記溶接機用電源装置が動作中であるが前記電流検出手段が出力電流を検出しなくなったときに、そのときの前記溶接条件が自動的に記憶される記憶手段と、
　現在の前記溶接条件が過去の前記溶接条件と異なるときに操作される読み出し用操作手段を有し、前記読み出し用操作手段が読み出し操作されたとき前記記憶手段に記憶されている前記溶接条件を読み出して、前記溶接機用電源装置に設定する読み出し手段とを、
有する溶接機用電源装置。」
　
　また、本願発明２−３は、概略、本願発明１を減縮した発明である。
　
第４　引用文献、引用発明等
１．引用文献１について
（１）原査定の拒絶の理由に引用された引用文献１には、図面とともに次の事項が記載されている（下線は理解の便のため当審にて付与。以下同。）。
　
ア　「この発明は，任意の点と点を記憶させこの記憶させた点から点に自動的にロボットを動作させるいわゆるＰＴＰ教示，ＣＰ制御のプレーバック方式のアーク溶接ロボットの制御装置において，
自動溶接運転中の任意の位置で溶接を中断し，動作範囲内の任意の位置から再開しても，一度中断点に復帰し教示通りの経路を溶接する
　
イ　「この発明は，上記のような従来のものの欠点を除去するためになされたもので，溶接途中の任意の時点で溶接中断釦を押し，溶接を中断後，手動モードでトーチを動作範囲内の任意の位置に移動し，その後，溶接開始釦を押し，溶接を再開した場合，中断点の位置を記憶しておくことにより，中断点に自動的に復帰し，その点から本来の溶接経路を溶接することを可能としたアーク溶接ロボットの制御装置を提供することを目的としている。
　以下，この発明の一実施例を図について説明する。第５図において，（１）は制御装置，（２）はロボット本体，
（３）は溶接電源
　制御装置（１）は以下のものから構成されている。（１０）は中央処理部，（１１）は制御プログラム記憶部，（１２）は教示済み位置記憶部，（１３）は中断点位置記憶部，（１４）は三次元直線補完係数及び現在値，未来値記憶部，
（１５）は溶接条件記憶部
　
ウ　「次に溶接の中断方法について述べる。トーチ先端が点ＰＮと点ＰＮ＋１の間を直線で走行中，第１０図の点ＰＳ上で
溶接中断釦（８ｂ）を押し，走行及び溶接を中断を指示すると，
このときの現在値ベクトルＰｃｕｒｒの値を中断点座標として，第７図の中断点位置記憶部（３０）に転送し記憶しておく
溶接開始釦（８ａ）を押して，溶接を再開したとする
　この時，点ＰＲと中断点ＰＳ′と間の傾斜ベクトルＡＲを上記式（３）によりもとめ，直線ＰＲＰＳ′上をトーチ先端が走行するよう前出と同様の制御を行ない
トーチ先端を点Ｐ
Ｓ′
上に移動させ，中断点Ｐ
Ｓ′
上に停止させる
　
なお，上記実施例では，溶接条件については説明していないが中断時の溶接条件を記憶することにより再開時に溶接条件も復帰することができる
　
（２）上記（１）の記載から、引用文献１には、次の技術的事項が開示されていると認められる。
　
ア　上記（１）イ、ウの記載事項から、引用文献１には、溶接条件を記憶する「溶接条件記憶部（１５）」と「溶接電源（３）」が記載されており、技術常識に鑑みて、「溶接電源（３）」は、設定された溶接条件に従って溶接出力を出力していると認められる。
　
イ　技術常識から、引用文献１の「溶接条件」は、何らかの「操作手段」の操作によって「溶接電源（３）」に設定されていると認められる。
　
ウ　上記（１）イ、ウの記載事項から、引用文献１には、「溶接中断釦（８ｂ）」が押されたときに、そのときの溶接条件が記憶される「溶接条件記憶部（１５）」が開示されているといえる。
　
エ　上記（１）ウの記載事項から、引用文献１には、「溶接開始釦（８ａ）」が押され溶接を再開したときに、記憶した溶接条件を復帰することが記載されていることから、「溶接開始釦（８ａ）」が押されたとき「溶接条件記憶部（１５）」に記憶されている溶接条件を読み出して、「溶接電源（３）」に設定する手段を有すると認められる。
　
（３）上記（２）から、上記引用文献１には次の発明（以下、「引用発明」という。）が記載されていると認められる。
　
　引用発明
「設定された溶接条件に従って溶接出力を出力する溶接電源（３）であって、
　操作によって前記溶接条件を前記溶接電源（３）に設定する操作手段と、
　溶接中断釦（８ｂ）が押されたときに、そのときの前記溶接条件が記憶される溶接条件記憶部（１５）と、
　溶接開始釦（８ａ）が押されたとき前記溶接条件記憶部（１５）に記憶されている前記溶接条件を読み出して、前記溶接電源（３）に設定する手段とを、
有する溶接電源（３）。」
　
２．引用文献２について
　原査定の拒絶の理由に引用された上記引用文献２の請求項２及び要約の記載からみて、当該引用文献２には、複数の溶接条件が記憶された溶接条件ファイル群記憶エリアと、該溶接条件ファイル群記憶エリアに記憶された溶接条件のうち実行される溶接条件が読み込まれ、且つ該溶接条件を修正可能な実行溶接条件ファイル記憶エリアと、該実行溶接条件ファイル記憶エリアで
修正された溶接条件を溶接条件ファイル群記憶エリアへ新規ファイルとして戻すか、或いは更新して戻すか
を選択する更新選択スイッチとを備えた
　
３．引用文献３について
　原査定の拒絶の理由に引用された上記引用文献３の請求項１、段落【００３０】の記載からみて、当該引用文献３には、アーク溶接機に関して、第３の記憶部９にある溶接条件の設定に従って、溶接電流値、ガスアフターフロー時間、パルス電流、パルス周波数、交流出力周波数等の詳細パラメータが設定され、溶接制御回路１０が出力駆動回路１１とシールドガス駆動回路１２とスタート装置駆動回路１３とワイヤ送給モータ駆動回路１４等を制御して溶接を行うものにおいて、第３の記憶部９に読み出された溶接条件は、ジョグダイヤル１やスイッチ部３を備えた操作部５を操作することにより変更することが可能であり、作業者は実際の溶接施工状態を確認しながら、条件を修正することができ、上記で
修正された第３の記憶部９の溶接条件は、スイッチ部３またはジョグダイヤル１の操作により、液晶表示部２で入力内容を確認しながら名称を付与した後に第１の記憶部７の任意のチャンネルに記憶することができる
　
第５　対比・判断
１．本願発明１について
（１）対比
　本願発明１と引用発明とを対比すると、次のことがいえる。
　
ア　引用発明における「溶接電源（３）」は、本願発明１における「溶接機用電源装置」に相当する。
　
イ　引用発明の「溶接中断釦（８ｂ）が押されたときに、そのときの前記溶接条件が記憶される溶接条件記憶部（１５）」と、本願発明１の「前記溶接機用電源装置が動作中であるが前記電流検出手段が出力電流を検出しなくなったときに、そのときの前記溶接条件が自動的に記憶される記憶手段」とは、「ある条件を満たしたときに、そのときの前記溶接条件が自動的に記憶される記憶手段」という点で一致する。
　
ウ　引用発明の「溶接開始釦（８ａ）が押されたとき前記溶接条件記憶部（１５）に記憶されている前記溶接条件を読み出して、前記溶接電源（３）に設定する手段」と、本願発明１の「現在の前記溶接条件が過去の前記溶接条件と異なるときに操作される読み出し用操作手段を有し、前記読み出し用操作手段が読み出し操作されたとき前記記憶手段に記憶されている前記溶接条件を読み出して、前記溶接機用電源装置に設定する読み出し手段」とは、「被操作部が操作されたとき前記記憶手段に記憶されている前記溶接条件を読み出して、前記溶接機用電源装置に設定する読み出し手段」という点で一致する。
　
エ　したがって、本願発明１と引用発明との間には、次の一致点、相違点があるといえる。
　
（一致点）
「設定された溶接条件に従って溶接出力を出力する溶接機用電源装置であって、
　操作によって前記溶接条件を前記溶接機用電源装置に設定する操作手段と、
　ある条件を満たしたときに、そのときの前記溶接条件が自動的に記憶される記憶手段と、
　被操作部が操作されたとき前記記憶手段に記憶されている前記溶接条件を読み出して、前記溶接機用電源装置に設定する読み出し手段とを、
有する溶接機用電源装置。」
　
（相違点１）
　「溶接条件が自動的に記憶される」タイミングに関して、本願発明１は、「溶接機用電源装置からの出力電流を検出する電流検出手段」を有し、「溶接機用電源装置が動作中であるが前記電流検出手段が出力電流を検出しなくなったとき」であるのに対し、引用発明１は、「溶接中断釦（８ｂ）が押されたとき」である点。
　
（相違点２）
　「記憶手段に記憶されている前記溶接条件を読み出」すタイミングに関して、本願発明１は、「現在の前記溶接条件が過去の前記溶接条件と異なるときに操作される読み出し用操作手段を有し、前記読み出し用操作手段が読み出し操作されたとき」であるのに対し、引用発明１は、「溶接開始釦（８ａ）が押されたとき」である点。
　
（２）相違点についての判断
（上記相違点１について）
　引用文献２には、更新選択スイッチを操作することにより、修正された溶接条件を溶接条件ファイル群記憶エリアへ新規ファイルとして戻すか、或いは更新して戻すことが記載されている。
　引用文献３には、修正された第３の記憶部９の溶接条件を、スイッチ部３またはジョグダイヤル１の操作により、第１の記憶部７の任意のチャンネルに記憶することができることが記載されている。
　しかし、引用文献１〜３のいずれの文献にも、溶接機用電源装置が動作中であるが電流検出手段が出力電流を検出しなくなったときに、そのときの溶接条件が自動的に記憶されることは記載も示唆もされていない。
　また、引用文献１には、「溶接電源（３）」からの出力電流を検出する電流検出手段を設ける旨の記載も示唆もないから、「溶接中断釦（８ｂ）」が押されたことを電流検出手段を設けることで検出するようにする動機はないというべきである。
　したがって、上記相違点１に係る構成は、当業者であっても、引用発明、引用文献２及び３に記載された技術的事項に基づいて容易に発明できたものであるとはいえない。
　
　したがって、本願発明１は、相違点２を検討するまでもなく、引用発明、引用文献２及び３に記載された技術的事項に基づいて当業者が容易に発明できたものであるとはいえない。
　
２．本願発明２−３について
　本願発明２−３は、本願発明１の構成全てを引用した発明であって、本願発明１の相違点１に係る構成と同一の構成を備えるものであるから、本願発明１と同様の理由により、当業者であっても、引用発明１、引用文献２及び３に記載された技術的事項に基づいて容易に発明をすることができたものであるとはいえない。
　
第６　むすび
　以上のとおり、本願発明１−３は、当業者が引用発明、引用文献２及び３に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。